(57)【要約】【課題】  この発明は、ネットワーク接続された複数のデジタル記録機器とともに使用可能なテレビジョン放送受信装置のためのリモートコントロール装置に関するもので、操作性のよいリモートコントロール装置を提供することを目的としている。【解決手段】  リモートコントローラ１７の入力切換キー１７ｂは、ビデオ入力を切り換える単一のキーで、＋側と−側とに選択的に操作可能であり、＋側に操作すると、放送→ビデオ１→ビデオ２→ビデオ３→ビデオ４のように正方向に循環的に選択でき、また、入力切換キー１７ｂを−側に操作すると、ビデオ４→ビデオ３→ビデオ２→ビデオ１→放送のように逆方向に循環的に切り換えられ、操作性を向上させることができる。【選択図】    図３
2006094343.tif 000002
【特許請求の範囲】
【請求項１】
複数の外部機器からの信号を入力可能なテレビジョン放送受信装置におけるリモートコントロール装置であって、
前記外部機器からの信号を含む複数の信号の中のいずれを選択するための単一の入力切換キーを含み、この入力切換キーは、前記複数の信号のいずれかを第１の方向に順次選択するための第１の操作部と、前記第１の方向と逆方向に順次選択するための第２の操作部とを有することを特徴とするリモートコントロール装置。
【請求項２】
前記入力切換キーは前記第１の操作部と前記第２の操作部の中間部を支点としたシーソー構造を有することを特徴とする請求項１記載のリモートコントロール装置。
【請求項３】
前記入力切換キーの前記第１の操作部と前記第２の操作部の近傍に、前記第１及び第２の方向を示す記号又は図形を付したことを特徴とする請求項１記載のリモートコントロール装置。
【請求項４】
複数の外部機器からの信号を選択的に入力可能なテレビジョン放送受信装置であって、
受信した放送信号による第１の映像・音声信号、及び前記複数の外部機器からの映像・音声信号を含む複数の入力信号から、いずれか１つの入力信号を選択出力するための信号選択回路と、
前記複数の入力信号のいずれかを選択するための単一の入力切換キーを含み、この入力切換キーは、前記複数の入力信号を第１の方向に順次選択するための第１の操作部と、前記第１の方向と逆方向に順次選択するための第２の操作部とを有するリモートコントロール装置と、
前記入力切換キーの前記第１又は第２の操作部の操作に応答して前記信号選択回路を制御し、前記複数の入力信号を前記第１又は第２の方向に循環的に選択するとともに、前記第１又は第２の操作部の操作後、所定時間操作がない場合に、操作停止直前に選択していた信号を前記信号選択回路から出力するように制御する制御部と、
前記信号選択回路から選択出力された映像・音声信号を再生する再生部と、を具備したことを特徴とするテレビジョン放送受信装置。
【請求項５】
前記再生部は、映像信号を表示するためのディスプレイを含み、前記ディスプレイには、前記制御部の制御のもとに、前記入力切換キーの前記第１又は第２の操作部の操作時に循環的に選択される信号の種類を表示することを特徴とするテレビジョン放送受信装置。
【請求項６】
複数の機能項目を所定の単位毎に一覧表示するナビゲーションメニューを表示可能なディスプレイを制御するためのリモートコントロール装置であって、
中心部に決定キーを有し、その周辺に規則的な間隔で複数の選択用操作部が配置されたカーソルキーと、
前記カーソルキーの前記各操作部の位置に対応して、その周辺部に配置されたページ切換キーと、を有し、
前記カーソルキーの操作によって一覧表示された項目からいずれかを順次選択するとともに、前記ページ切換キーによって別の単位の項目をスキップ選択するようにしたことを特徴とするリモートコントロール装置。
【発明の詳細な説明】
【技術分野】
【０００１】
この発明は、例えばデジタルテレビジョン放送等を受信するテレビジョン放送受信装置及びそれを操作するためのリモートコントロール装置（以下リモートコントローラと称する）に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。
【０００５】
また、デジタル放送受信装置に対してＶＴＲやＤＶＤ、ゲーム機器、有料放送用ＢＳデコーダ等の複数の外部機器が接続可能になっており、これら外部機器からの映像・音声信号も再生することができる。
【０００６】
ところで、このように、複数のデジタル記録機器をネットワーク接続可能としたり、複数の外部機器が接続可能なテレビジョン放送受信装置においては、各デジタル記録機器に記録されている番組をユーザが容易に管理することができ、所望の記録番組を迅速に検索して再生することが重要となるし、接続された外部機器の選択が容易にできる必要がある。このため、ユーザはリモコンを操作して各種の検索や選択等の操作を行うようにしている。
【０００７】
例えば、上記した外部機器の選択のためには、一般的に「入力切換」キーを設け、一回操作する毎に放送→ビデオ１→ビデオ２→ビデオ３→ビデオ４→放送のように順次に切換えることができるようにしている。しかしながら、このように１つの「入力切換」キーを設けた場合には、希望する外部機器からの入力を選択するために操作回数が増えてしまい、誤って目的の入力を過ぎてしまった場合（例えばビデオ２を選択しようとしてビデオ３まで操作し過ぎた場合）、元に逆戻しすることができず、更に操作を続けて目的の入力を選択する必要がある。
【０００８】
このため、外部機器の入力数に応じた複数の入力選択キー（例えばビデオ１、ビデオ２、ビデオ３、ビデオ４の４つのキー）をリモートコントローラに設け、ダイレクトに入力選択できるようにしたものもある（特許文献１参照）。しかしながら、このように複数のキーをさらに追加することは、リモートコントローラのサイズが大きくなり、ユーザに複雑そうな印象を与えてしまう。
【特許文献１】特許３２１０５６０号（図１）
【発明の開示】
【発明が解決しようとする課題】
【０００９】
そこで、この発明は上記事情を考慮してなされたもので、複数のデジタル記録機器をネットワーク接続可能としたり、複数の外部機器が接続可能なテレビジョン放送受信装置において、各デジタル記録機器に記録されている番組をユーザが迅速に検索して再生することができ、又、接続された外部機器の選択が容易にできるリモートコントロール装置を提供することを目的とする。
【課題を解決するための手段】
【００１０】
この発明に係るリモートコントロール装置は、複数の外部機器からの信号を入力可能なテレビジョン放送受信装置におけるリモートコントロール装置であって、前記外部機器からの信号を含む複数の信号の中のいずれを選択するための単一の入力切換キーを含み、この入力切換キーは、前記複数の信号のいずれかを第１の方向に順次選択するための第１の操作部と、前記第１の方向と逆方向に順次選択するための第２の操作部とを有することを特徴とする。
【００１１】
また、この発明に係るテレビジョン放送受信装置は、複数の外部機器からの信号を選択的に入力可能なテレビジョン放送受信装置であって、受信した放送信号による第１の映像・音声信号、及び前記複数の外部機器からの映像・音声信号を含む複数の入力信号から、いずれか１つの入力信号を選択出力するための信号選択回路と；前記複数の入力信号のいずれかを選択するための単一の入力切換キーを含み、この入力切換キーは、前記複数の入力信号を第１の方向に順次選択するための第１の操作部と、前記第１の方向と逆方向に順次選択するための第２の操作部とを有するリモートコントロール装置と；前記入力切換キーの前記第１又は第２の操作部の操作に応答して信号選択回路を制御し、前記複数の入力信号を前記第１又は第２の方向に循環的に選択するとともに、前記第１又は第２の操作部の操作後、所定時間操作がない場合に、操作停止直前に選択していた信号を前記信号選択回路から出力するように制御する制御部と；前記信号選択回路から選択出力された映像・音声信号を再生する再生部とを具備したことを特徴とする。
【発明の効果】
【００１２】
上記した本発明によれば、多機能を有するテレビジョン放送受信装置において、その操作性を良好にすることができ、ユーザにとって使用勝手の良いリモートコントロール装置を提供することかできる。
【発明を実施するための最良の形態】
【００１３】
以下、この発明の実施の形態について図面を参照して詳細に説明する。
【実施例１】
【００１４】
図１は、この実施の形態で説明するデジタルテレビジョン放送受信装置１１の外観と、このデジタルテレビジョン放送受信装置１１を中心として構成されるネットワークシステムの一例を概略的に示している。
【００１５】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１６】
また、このデジタルテレビジョン放送受信装置１１には、複数の入力端子（映像・音声入力端子）が設けられており、例えばＶＴＲ１９やＤＶＤ２０等の外部機器が接続可能になっており、これら外部機器からの映像・音声信号を再生可能になっている。尚、外部機器として、ＶＴＲ１９，ＤＶＤ２０を例示しているが、ゲーム機器やＨＤＭＩ（High Definition Multimedia Interface）等、他の機器も接続できる。
【００１７】
そのほか、このデジタルテレビジョン放送受信装置１１には、ＳＤカード（Secure Digitalカード）、ＭＭＣ（Multimedia Card）、メモリスティック及びＩＣカード等のメモリカードが着脱可能となっており、このメモリカードに対して番組や写真等の情報の記録再生が行なわれるようになっている。
【００１８】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１９】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００２０】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００２１】
また、第２のＬＡＮ端子２２は、イーサネットを用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２２】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２３】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２４】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（Phase Shift Keying）復調器４６に供給されて、デジタルの映像信号及び音声信号に復調された後、信号処理部４７に出力される。また、地上波放送受信用のアンテナ４８で受信した地上デジタルテレビジョン放送信号は、入力端子４９を介して地上デジタル放送用のチューナ５０に供給されることにより、所望のチャンネルの放送信号が選局され、このチューナ５０で選局された放送信号は、ＯＦＤＭ（Orthogonal Frequency Division Multiplexing）復調器５１に供給されて、デジタルの映像信号及び音声信号に復調された後、信号処理部４７に出力される。
【００２７】
また、アンテナ４８にはアナログの地上波テレビジョン放送信号用のチューナ１０２が接続され、所望のチャンネルの放送信号が選局され、このチューナ１０２で選局されたアナログ放送信号は、アナログ復調器１０３によってアナログの映像信号及び音声信号に復調された後、信号処理部４７に出力される。
【００２８】
ここで、上記信号処理部４７は、例えばＰＳＫ復調器４６から供給されたデジタルの映像信号及び音声信号と、ＯＦＤＭ復調器５１から供給されたデジタルの映像信号及び音声信号とに対して、選択的に所定のデジタル信号処理を施し、さらにデジタルの映像信号を、前記映像表示器１４で表示可能なフォーマットのアナログ映像信号に変換する。又、入力されたデジタルの音声信号を、前記スピーカ１５で再生可能なフォーマットのアナログ音声信号に変換する。そして各チューナ４５，５０，１０２で受信した放送信号のいずれかに対応したアナログ映像信号及びアナログ音声信号を選択的に出力して入力選択回路１００に供給する。
【００２９】
さらに、入力選択回路１００からの映像信号・音声信号は、グラフィック処理部５２及び音声処理部５３に出力される。このうち、グラフィック処理部５２は、信号処理部４７から供給される映像信号に、ＯＳＤ（On Screen Display）信号生成部５４で生成されるＯＳＤ信号を重畳して出力する機能を有する。また、このグラフィック処理部５２は、映像信号と、ＯＳＤ信号とを選択的に出力したり、また、両出力をそれぞれ画面の半分を構成するように組み合わせて出力することもできる。
【００３０】
そして、グラフィック処理部５２から出力されたデジタルの映像信号は、映像処理部５５を介して映像表示器（ディスプレイ）１４に出力して映像が再生される。また選択された音声信号は、音声処理部５３を介してスピーカ１５に出力されて音声が再生される。
【００３１】
又、入力選択回路１００には入力端子群１０１を介してＶＴＲ１９やＤＶＤ２０等の外部機器からの映像、音声信号が供給される。この入力選択回路１００は、前記信号処理部４７からの放送信号による映像・音声信号、及び前記外部機器からの映像・音声信号を含む複数の入力信号から、いずれか１つの入力信号を選択出力するためのもので、リモートコントローラ１７の操作に応答して、いずれかの入力信号が選択出力され、選択された映像信号は映像表示器（ディスプレイ）１４に出力して映像表示される。
【００３２】
ここで、デジタルテレビジョン放送受信装置１１は、上記した各種の受信動作を含む各種の動作を制御部５６によって統括的に制御されている。この制御部５６は、ＣＰＵ（Central Processing Unit）等を内蔵するマイクロプロセッサであり、前記操作部１６からの操作情報を受け、または、リモートコントローラ１７から送出された操作情報を前記受光部１８を介して受信し、その操作内容が反映されるように各部をそれぞれ制御している。
【００３３】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９を有している。また、この制御部５６は、カードＩ／Ｆ（Interface）６０、６２を介して、カードホルダ６１、６３に接続されており、これらカードホルダ６１、６３に前述したメモリカードが装着可能になっている。これによって、制御部５６は、カードホルダ６１、６３に装着されたそれぞれのメモリカードとカードＩ／Ｆ６０、６２を介して情報伝送を行なうことができる。
【００３４】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３５】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。また、上記制御部５６は、ＵＳＢ Ｉ／Ｆ６６を介して前記ＵＳＢ端子２３に接続されており、制御部５６は、ＵＳＢ端子２３に接続された各機器（図１参照）と、ＵＳＢ Ｉ／Ｆ６６を介して情報伝送を行なうことができる。さらに、上記制御部５６は、ｉ．Link Ｉ／Ｆ６７を介してｉ．Link端子２４に接続されており、制御部５６は、ｉ．Link端子２４に接続された各機器（図１参照）と、ｉ．Link Ｉ／Ｆ６７を介して情報伝送を行なうことができる。
【００３６】
図３は、上記リモートコントローラ１７の外観を示している。このリモートコントローラ１７には、主として、電源キー１７ａ、シーソー型の入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００３７】
次に、リモートコントローラ１７の操作によって実行可能な各種の機能について説明する。先ず、アナログ系のビデオ入力の切り換えについて説明する。これは、入力選択回路１００によって、どの入力信号を選択して出力するかをユーザ操作によって決めるものであり、リモートコントローラ１７の入力切換キー１７ｂを操作することでアナログ系のビデオ入力を切り換えることができる。この入力切換キー１７ｂキーは、＋側と−側とに選択的に操作可能であり、＋側の操作部と−側の操作部の中間部を支点としたシーソー構造を有している。又、＋側の操作部と−側の操作部の近傍に、正方向及び逆方向を示す記号又は図形（図３では＋，−の記号）が付されている。
【００３８】
入力切換キー１７ｂを＋側に操作すると、ビデオ１→ビデオ２→ビデオ３→ビデオ４→ビデオ５→ＨＤＭＩ→放送のように正方向に循環的にビデオ入力が選択的に切り換えられる。また、入力切換キー１７ｂを−側に操作すると、ＨＤＭＩ→ビデオ５→ビデオ４→ビデオ３→ビデオ２→ビデオ１→放送のように逆方向に循環的に切り換えられる。従来では、正方向への循環切り換えしかなかったため、ユーザに不便を強いていたが、逆方向への循環切り換えを付加することにより、操作性を向上させることができる。
【００３９】
また、この入力切換キー１７ｂによるビデオ入力切換は、入力切換キー１７ｂを継続的に押圧操作している状態では、ＯＳＤ表示のみが切り換わり、操作を所定時間停止することにより選択された入力の画面に切り換わる方式を採用しているので、入力切換キー１７ｂを操作する毎に画面が頻繁に変わるという煩わしさがなくなる。
【００４０】
図４は、入力切換キー１７ｂの操作による入力選択動作のフローチャートを示している。すなわち、入力切り換えの処理が開始（ステップＳ０１）されると、制御部５６は、ステップＳ０２で、現時点で選択されている入力の判別を行い、次のステップＳ０３では入力切換キー１７ｂの＋側が操作されたか−側が操作されたかの判別を行う。＋側に操作されたとき、現時点で例えば放送が選択されている場合には、ステップＳ０４に移行し、次の正方向順位にあるビデオ１を選択する。さらに制御部５６は、ステップＳ０５でキー操作が継続しているか否かを判別し、＋側が継続的又は短時間内に操作された場合はステップＳ０２に戻り、ステップＳ０３→Ｓ０４→Ｓ０５→Ｓ０２を循環して、正方向にビデオ１→ビデオ２→ビデオ３→ビデオ４→ビデオ５→ＨＤＭＩ…を順次選択して行く。また、ステップＳ０５において、入力切換キー１７ｂキーの操作の停止後、所定時間を経過してもキー操作が行われない場合は、その時点で入力選択モードが決定される。
【００４１】
また、ステップＳ０３で−側に操作されたと判別した場合は、ステップＳ０６に移行し、前の順位、つまり逆方向に入力選択を行う。こうして−側が継続的又は短時間内に操作された場合はステップＳ０５を経てＳ０２に戻り、ステップＳ０３→Ｓ０６→Ｓ０５→Ｓ０２を循環して、逆方向に放送→ＨＤＭＩ→ビデオ５→ビデオ４→ビデオ３→ビデオ２→ビデオ１…を順次選択して行く。また、ステップＳ０５において、キー操作が所定時間内に行われない場合は、その時点で入力選択モードが決定される。したがって、正方向への循環切り換えだけでなく、逆方向への循環切り換えを付加することにより、操作性を向上させることができる。
【００４２】
また、この入力切換キー１７ｂによるビデオ入力切換時には、ビデオ入力端子の切換状況が、図５に示すように、映像表示器１４の表示画面上にＯＳＤ表示される。図５では斜線で示すようにビデオ３が選択されている例を示している。
【００４３】
次に図６は、デジタルテレビジョン放送受信装置１１が、その端子２１〜２４に接続された各機器のうちのデジタル記録機器に番組を記録する動作を説明するフローチャートを示している。
【００４４】
すなわち、番組の記録が要求されることにより処理が開始（ステップＳ１）されると、制御部５６は、ステップＳ２で、放送信号から取得したＥＰＧ（Electronic Program Guide）情報に基づいて、番組表を映像表示器１４に表示させる。すると、ユーザは、ステップＳ３で、表示された番組表に基づいて所望の番組の記録予約設定を実行する。この記録予約設定では、記録すべき番組を番組表から選択するとともに、その番組を記録させるデジタル記録機器を選択設定することも行なわれる。
【００４５】
そして、制御部５６は、ステップＳ４で、記録予約した設定時間に達した場合、予約設定された番組を予約設定されたデジタル記録機器に記録するように、記録動作を実行する。
【００４６】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００４７】
また、上記ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００４８】
以上の記録動作により、ユーザは、デジタルテレビジョン放送受信装置１１の各端子２１〜２４に接続されている複数のデジタル記録機器を任意に選択して、番組を記録させていくことが可能になる。
【００４９】
さらに、図７は、上記のようにして、複数のデジタル記録機器に記録された種々の番組の中から、所望の番組を迅速に検索して再生する動作を説明するためのフローチャートを示している。すなわち、処理が開始（ステップＳ９）されると、ユーザは、ステップＳ１０で、リモートコントローラ１７のfaceネットキー１７ｊを操作する。
【００５０】
すると、制御部５６は、ステップＳ１１で、faceネット（ナビゲーション）を起動させ、ナビゲーションメニューを映像表示器１４に表示させる。このナビゲーションメニューでは、図８に示すように「テレビ」、「録画番組」、「写真」、「インターネット」、「Ｅメール」の５つの項目が選択可能に設けられる。
【００５１】
そしてカーソルキー１７ｆによりいずれかの項目が選択され、画面上では他の項目と色を変えて表示される。ここで、ユーザは、ステップＳ１２で、リモートコントローラ１７のカーソルキー１７ｆを操作して「録画番組」の項目を選択したとすると、制御部５６は、図８にハッチングで示すように、「録画番組」の項目を選択した状態となる。
【００５２】
この状態で、ユーザが、ステップＳ１３で、リモートコントローラ１７の決定キー１７ｇを操作すると、制御部５６は、図９に示すように、最近録画した番組の一覧を映像表示器１４に表示させる。この番組一覧では、記録されている番組を示す情報として、タイトル、放送チャンネル、記録日時、曜日、時間、ジャンル等が表示される。
【００５３】
この最近録画した番組の一覧は、番組の予約記録時に不揮発性メモリ５９に記録された、記録を行なったデジタル記録機器を特定する機器情報と記録番組に関するイベント情報とを参照することで作成される。この最近録画した番組の一覧では、記録したデジタル記録機器を問わず、最新の記録番組から溯って例えば３５個の番組を、７個ずつ５単位で情報を一覧表示することが可能である。
【００５４】
図９では、７つの番組が一覧表示されているが、カーソルキー１７ｆを操作することにより表示をスクロールさせて３５個の番組一覧を見ることが可能である。また、リモートコントローラ１７のページ切換キー１７ｉを操作すれば、一覧表示されている７つの番組を一気にスキップさせることが可能である。
【００５５】
そして、ユーザが、ステップＳ１４で、最近録画した番組の一覧から、リモートコントローラ１７のカーソルキー１７ｆを操作して所望の番組を示す情報を選択し、決定キー１７ｇを操作して決定すると、制御部５６は、ステップＳ１５で、不揮発性メモリ５９に記録された情報から、その選択決定された番組が記録されているデジタル記録機器を特定し、その番組が再生可能であるか否かを判別する。
【００５６】
この判別は、例えば、デジタルテレビジョン放送受信装置１１と再生要求された番組を記録しているデジタル記録機器とが接続されているか否か、再生要求された番組を記録しているデジタル記録機器の電源が投入されているか否か、対象となるデジタル記録機器にその番組がまだ記録されているか否か等々、記録時と再生時とにおける諸条件を総合的に比較して再生可能か否かを判別する。
【００５７】
そして、上記ステップＳ１５で再生可能であると判断された場合（ＹＥＳ）、制御部５６は、ステップＳ１６で、対象となるデジタル記録機器から再生要求された番組の情報を読み出し、再生するように制御して、処理を終了（ステップＳ１７）する。
【００５８】
また、上記ステップＳ１５で再生可能でないと判断された場合（ＮＯ）、制御部５６は、ステップＳ１８で、要求された番組の再生が不可能である旨のメッセージを映像表示器１４に表示させて、処理を終了（ステップＳ１７）する。
【００５９】
上記した再生動作によれば、最新の記録番組から溯って番組を一覧表示するナビゲーション機能を持つため、複数のデジタル記録機器に記録されている番組をユーザが容易に管理することが可能となり、一覧表示された番組から所望の番組をカーソルキー１７ｆで選択し決定キー１７ｇで決定することにより、迅速に検索して再生することが可能となる。
【００６０】
又、上記したデジタルテレビジョン放送受信装置１１は、写真再生機能を有している。すなわち、リモートコントローラ１７のfaceネットキー１７ｊを操作して表示させた図８に示すナビゲーションメニューから、「写真」の項目を選択し決定することにより、例えば前記カードホルダ６１に装着されたメモリカード（図示せず）に記録されている複数の写真を、一覧表示させることができる。
【００６１】
また、このデジタルテレビジョン放送受信装置１１は、接続されているＰＣ２８，３３に対して、定期的にＥメールの着信状況を判別しに行き、着信がある場合、映像表示器１４の表示画面上に「新着３件」等の着信メッセージを表示させることができる。そして、着信メッセージが表示されている状態で、リモートコントローラ１７の決定キー１７ｇを操作することで、映像表示器１４にＥメール情報を表示することができる。あるいは、図８に示すナビゲーションメニューから、「Ｅメール」の項目を選択し決定することによっても、所望のＰＣ２８，３３を指定して、Ｅメールの送信や着信されたＥメールの読み出しを行なうことができる。
【００６２】
さらに、リモートコントローラ１７のページ切換キー１７ｉを操作することにより、映像表示器１４の画面に表示されている映像を、ページ単位で切り換えることができる。すなわち、リモートコントローラ１７のカーソルキー１７ｆは、画面上でカーソルを上下左右に移動させるために、上下左右の各方向に対応した４つのキーで構成されている。そして、ページ切換キー１７ｉも、４つのカーソルキー１７ｆにそれぞれ対応した４つのキーで構成されている。
【００６３】
例えば、カーソルを上方向に移動させるためのカーソルキー１７ｆに対応するページ切換キー１７ｉを操作することにより、現在の表示画面がその上側に存在する映像に切り換えられることになる。このページ切り換え機能により、カーソルキー１７ｆを操作して画面をスクロールさせることに比べて、所望の画面を迅速に選択することが可能となる。
【００６４】
また、ページ切換キー１７ｉは、カーソルキー１７ｆに対応させて設置されるので、移動方向を容易に認識することができる。このページ切換キー１７ｉによって切換可能な画面としては、例えば、図８に示した最近録画した番組の一覧表等がある。
【００６５】
つまり、図８や図９のように、「録画番組」等の機能項目を所定の単位毎に一覧表示（ナビゲーション表示）した場合、カーソルキー１７ｆは、一覧表示された項目からいずれかを順々に選択するものであり、ページ切換キー１７ｉは、別の単位の項目をスキップ選択するものである。また、カーソルキー１７ｆは決定キー１７ｇを中心に左右、上下方向に規則的な間隔で操作部を有し、それら各操作部の位置に対応して、その周辺にページ切換キーが配置されているので、カーソルキー１７ｆが示す方向と同じ方向にページ切換キー１７ｉによってスキップさせることができる。
【００６６】
このように、本発明では、多機能を有するデジタルテレビジョン放送受信装置等において、その操作性を良好にすることができ、ユーザにとって使用勝手の良いリモートコントローラを提供することかできる。
【００６７】
なお、この発明は上記した実施の形態そのままに限定されるものではなく、実施段階ではその要旨を逸脱しない範囲で変形することができる。また、上記した実施の形態に開示されている複数の構成要素を適宜に組み合わせることにより、種々の発明を形成することができる。
【図面の簡単な説明】
【００６８】
【図１】この発明の実施の形態を示すもので、テレビジョン放送受信装置及びリモートコントロール装置を中心として構成されるネットワークシステムの一例を概略的に示す図。
【図２】同実施の形態におけるテレビジョン放送受信装置の主要な信号処理系を示すブロック構成図。
【図３】同実施の形態におけるテレビジョン放送受信装置のリモートコントロール装置を説明する外観図。
【図４】同実施の形態におけるテレビジョン放送受信装置でのアナログ系の入力選択の動作を説明するフローチャート。
【図５】同実施の形態におけるテレビジョン放送受信装置でのアナログ系の入力切換画面の一例を説明する図。
【図６】同実施の形態におけるテレビジョン放送受信装置がデジタル記録機器に番組を記録する動作を説明するフローチャート。
【図７】同実施の形態におけるテレビジョン放送受信装置がデジタル記録機器から番組を再生する動作を説明するフローチャート。
【図８】同実施の形態におけるテレビジョン放送受信装置の再生動作時に表示されるナビゲーションメニューの一例を示す図。
【図９】同実施の形態におけるナビゲーションメニューから得られる録画番組の一覧表示画面の一例を説明する図。
【符号の説明】
【００６９】
１１…デジタルテレビジョン放送受信装置、１２…キャビネット、１３…支持台、１４…映像表示器、１５…スピーカ、１６…操作部、１７…リモートコントローラ、１８…受光部、１９…ＶＴＲ、２０…ＤＶＤ、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ、１００…入力選択回路、１０１…入力端子。
【図１】
2006094343.tif 000003
【図２】
2006094343.tif 000004
【図３】
2006094343.tif 000005
【図４】
2006094343.tif 000006
【図５】
2006094343.tif 000007
【図６】
2006094343.tif 000008
【図７】
2006094343.tif 000009
【図８】
2006094343.tif 000010
【図９】
2006094343.tif 000011